(57)【要約】【課題】本発明は、ユーザに対して必要な情報を的確に報知することが可能なリモートコントローラを提供することを目的とする。【解決手段】本発明に係るリモコンＡは、携帯電話機Ｂへの入力操作を受け付ける入力操作部Ａ１と、各種情報表示を行う表示部Ａ２と、携帯電話機Ｂとの信号授受や表示部Ａ２の表示制御を行うＣＰＵＡ３と、を有して成り、携帯電話機Ｂに着信があった場合、表示部Ａ２に着信種類に応じた発信者情報や着信内容などの着信関連情報をスクロール表示する構成としている。【選択図】　　　図４
2004134840.tif 000002
【特許請求の範囲】
【請求項１】
本体通信機器への入力操作を受け付ける入力操作部と、各種情報表示を行う表示部と、前記本体通信機器との信号授受や前記表示部の表示制御を行う中央演算処理部と、を有して成り、前記本体通信機器に着信があった場合、前記表示部に着信種類に応じた発信者情報や着信内容などの着信関連情報をスクロール表示することを特徴とするリモートコントローラ。
【請求項２】
前記本体通信機器に着信があった場合、前記表示部に着信種類を示す着信識別アイコンを表示することを特徴とする請求項１に記載のリモートコントローラ。
【請求項３】
未応答の音声着信がある場合、前記表示部に不在着信アイコンを表示し、未読のデータ着信がある場合、前記表示部に未読アイコンを表示することを特徴とする請求項１または請求項２に記載のリモートコントローラ。
【請求項４】
前記入力操作部は、前記表示部の表示内容を任意に切り換えるための表示切換手段を具備することを特徴とする請求項１〜請求項３のいずれかに記載のリモートコントローラ。
【請求項５】
前記本体通信機器の非着信時には、前記表示部に現在の日付や時刻を表示することを特徴とする請求項１〜請求項４のいずれかに記載のリモートコントローラ。
【発明の詳細な説明】
【０００１】
【発明の属する技術分野】
本発明は、表示部を有するリモートコントローラに関するものである。
【０００２】
【従来の技術】
近年、不揮発性外部メモリ（コンパクト型フラッシュメモリなど）の着脱スロットとヘッドフォン（ステレオインナーフォン）接続端子を有し、外部メモリに格納されたオーディオデータを再生可能な携帯電話機が普及し始めている。このようなオーディオ再生機能付き携帯電話機は、一般に液晶表示部を有するリモートコントローラ（以下、リモコンと呼ぶ）を接続可能な構成とされており、ユーザは該リモコンを操作してオーディオデータの再生制御を行うことができる。
【０００３】
【特許文献１】
特開平９−６４８１０号公報
【特許文献２】
特開２００２−１０１１８３号公報
【特許文献３】
特開２００２−１２５０３９号公報
【０００４】
【発明が解決しようとする課題】
確かに、上記構成から成るリモコンを用いれば、携帯電話機本体をカバン等に収納したまま、手元でオーディオ再生を操作することができるので、ユーザにとって非常に使い勝手がよい。
【０００５】
しかしながら、上記構成から成るリモコンは、あくまでオーディオ再生操作を主目的として携帯電話機に接続されるものであり、その液晶表示部には、オーディオ再生に関する情報（再生トラック名、再生トラック番号、再生経過時間等）しか表示しない構成とされていた。そのため、携帯電話機本体をカバン等に収容し、リモコンでオーディオ再生を操作しているユーザ（特に、公共交通機関等で他人の迷惑とならないように、携帯電話機本体及びヘッドフォンの着信音を鳴らさない設定としているユーザ）には、携帯電話機の着信など、その動作状態が認識されにくいという課題があった。
【０００６】
なお、特許文献１には、本体からの通知に基づいて着信を報知するとともに、発信元電話番号を表示するリモコンが開示されている。確かに、上記構成から成るリモコンを用いれば、携帯電話機本体をカバン等に収納したまま、手元で着信を認識して応答操作を行うことができる。しかしながら、近年の携帯電話機には音声通話機能以外に多くの付加機能（オーディオ再生機能、メール送受信機能、ステーション情報受信機能、Ｗｅｂ情報受信機能など）が設けられているため、上記の従来技術をそのまま適用したリモコンでは、液晶表示部に全ての情報を表示できない場合や、その視認性を著しく損なってしまう場合があり、ユーザに対して必要な情報を的確に報知することができないという課題があった。
【０００７】
本発明は、上記の問題点に鑑み、ユーザに対して必要な情報を的確に報知することが可能なリモートコントローラを提供することを目的とする。
【０００８】
【課題を解決するための手段】
上記目的を達成するために、本発明に係るリモートコントローラは、本体通信機器への入力操作を受け付ける入力操作部と、各種情報表示を行う表示部と、前記本体通信機器との信号授受や前記表示部の表示制御を行う中央演算処理部と、を有して成り、前記本体通信機器に着信があった場合、前記表示部に着信種類に応じた発信者情報や着信内容などの着信関連情報をスクロール表示する構成としている。このような構成とすることにより、本体通信機器の着信種類や付加機能が増大しても、ユーザに対して必要な情報を的確に報知することが可能なリモートコントローラを提供することが可能となる。
【０００９】
なお、上記構成から成るリモートコントローラは、前記本体通信機器に着信があった場合、前記表示部に着信種類を示す着信識別アイコンを表示する構成にするとよい。このような構成とすることにより、表示部の表示領域を有効に利用して、ユーザに対して的確に着信種類を報知することができる。
【００１０】
また、上記構成から成るリモートコントローラは、未応答の音声着信がある場合、前記表示部に不在着信アイコンを表示し、未読のデータ着信がある場合、前記表示部に未読アイコンを表示する構成にするとよい。このような構成とすることにより、ユーザは不在着信や未読メール等があったことを知ることができるので、該着信に対して遅滞なく応答を行うことができる。
【００１１】
また、上記構成から成るリモートコントローラにおいて、前記入力操作部は、前記表示部の表示内容を任意に切り換えるための表示切換手段を具備する構成にするとよい。このような構成とすることにより、ユーザは本体通信機器の動作状態に依ることなく、表示部に任意の情報を表示させることができるので、非常に使い勝手がよい。
【００１２】
また、上記構成から成るリモートコントローラは、前記本体通信機器の非着信時、前記表示部に現在の日付や時刻を表示する構成にするとよい。このような構成とすることにより、ユーザはリモコンを時計代わりに利用することができるので便利である。
【００１３】
【発明の実施の形態】
以下では、オーディオ再生機能付き携帯電話機を手元で操作するためのリモートコントローラを例に挙げて、本発明の実施形態を詳細に説明する。
【００１４】
まず、本発明の第１実施形態について、図１を参照しながら詳細に説明する。図１は本発明に係るリモートコントローラの第１実施形態を示すブロック図である。本図に示す通り、本実施形態のリモートコントローラＡ（以下、リモコンＡと呼ぶ）は、携帯電話機Ｂへの入力操作を受け付ける入力操作部Ａ１及び表示切換スイッチＡ１’と、情報表示用の液晶表示部Ａ２と、携帯電話機ＢとのＵＡＲＴ［Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ］シリアルデータ通信や液晶表示部Ａ２の表示制御を行うリモコンＣＰＵ［Ｃｅｎｔｒａｌ　Ｐｒｏｃｅｓｓｉｎｇ　Ｕｎｉｔ］Ａ３と、音声入力を受け付けるマイクＡ４と、ヘッドフォン（ステレオインナーフォン）を接続するためのヘッドフォンジャックＡ５と、を有して成る。
【００１５】
一方、本実施形態の携帯電話機Ｂは、リモコンＡとのＵＡＲＴシリアルデータ通信を含む装置全体の制御を行う本体ＣＰＵＢ１と、基地局（不図示）との無線通信を制御する無線通信部Ｂ２と、電波を送受信するためのアンテナＢ３と、を有して成る。なお、本図には示していないが、本実施形態の携帯電話機Ｂは、画像・文字情報等の出力を行う画面表示部や音声情報等の入出力を行う音声入出力部など、携帯電話機としての必須構成を当然に有して成る。また、本実施形態の携帯電話機Ｂは、外部メモリインターフェイス部（不図示）を有しており、着脱可能な不揮発性外部メモリ（コンパクト型フラッシュメモリなど）をオーディオデータの記録メディアとして用いることが可能な構成である。
【００１６】
上記構成から成るリモコンＡにおいて、入力操作部Ａ１は、それぞれ個別の機能を有する複数のスイッチＳＷ１〜ＳＷｎ（再生／停止スイッチ、早送り／巻き戻しスイッチ、ホールドスイッチなど）を有して成り、該スイッチＳＷ１〜ＳＷｎを操作することで、各スイッチに対応した抵抗Ｒ１〜Ｒｎ−１がリモコンスイッチ検出端子ＲＣと接地端子ＧＮＤとの間に接続されるように配線されて成る。リモコンスイッチ検出端子ＲＣは、抵抗Ｒ０を介して本体電源ラインにプルアップされている。従って、リモコン操作時におけるリモコンスイッチ検出端子ＲＣの電位は、各スイッチＳＷ１〜ＳＷｎに対応した直流電圧（抵抗Ｒ０と各スイッチに対応した抵抗Ｒ１〜Ｒｎ−１の合成抵抗値によって本体電源を分圧した値）となる。
【００１７】
リモコンスイッチ検出端子ＲＣで検出された直流電圧は、本体ＣＰＵＢ１のアナログ／ディジタル変換器Ｂ１２（以下、Ａ／Ｄ［Ａｎａｌｏｇ／Ｄｉｇｉｔａｌ］変換器Ｂ１２と呼ぶ）でスイッチＳＷ１〜ＳＷｎに対応したディジタル数値に変換される。本体ＣＰＵＢ１は、該ディジタル数値をポーリングした結果に基づいて、各スイッチＳＷ１〜ＳＷｎのうち、いずれのスイッチがどのように操作されたかを確定し、オーディオ再生機能や無線通話機能など、携帯電話機Ｂに設けられた各種機能を実行する。
【００１８】
表示切換スイッチＡ１’は、上記と同様の構成で入力操作部Ａ１に接続されており、該表示切換スイッチＡ１’が操作されたことを検出した本体ＣＰＵＢ１は液晶表示部Ａ２の表示内容を切り換えるようにリモコンＡへ指示を送る。なお、この表示内容切換動作については、後ほど詳細に説明する。
【００１９】
リモコンＡにおいて、入力操作部はリモコンＣＰＵＡ３にスイッチ入力端子があれば、Ａ１０のようにスイッチを直接接続する場合やキーマトリクス回路を組み入力操作部とする場合もある。その制御はリモコンＣＰＵＡ３のキー入力端子に各操作スイッチ、キーマトリクス回路を接続して検出する方法でリモコンＣＰＵＡ３がどの操作スイッチが押されたかＵＡＲＴデータを携帯電話機の本体ＣＰＵＢ１に送出しスイッチを確定させる。いずれのスイッチがどのように操作されたかを確定し、オーディオ再生機能や無線通話機能など、携帯電話機Ｂに設けられた各種機能を実行する。
【００２０】
液晶表示部Ａ２は、図２に示す通り、オーディオ再生に関する設定内容（低音強調設定、サラウンド設定、音量制限設定、リピート設定、ランダム設定など）を常時表示するオーディオ設定表示領域Ａ２１と、携帯電話機Ｂの動作状態に応じた情報（オーディオ再生時であれば、再生トラック名、再生トラック番号、再生経過時間、残り再生時間など）を適宜表示するメイン情報表示領域Ａ２２と、各種アイコンを適宜表示するアイコン表示領域Ａ２３と、に分割された画面構成を有して成る。
【００２１】
なお、液晶表示部Ａ２は、画素構成の違いにより、バックライトを用いて高輝度表示が可能な透過型と、外光を利用して低電力駆動が可能な反射型に分類されるが、リモコンＡの液晶表示部Ａ２には高い視認性が要求されるため、その型式は一般に透過型とされている。この場合、液晶表示部Ａ２の背面にはバックライトからの放射光を均等に拡散する導光板が設けられる。
【００２２】
リモコンＣＰＵＡ３は、液晶表示部Ａ２を制御する液晶コントロール部Ａ３１と、携帯電話機ＢとのＵＡＲＴシリアルデータ通信を制御するＵＡＲＴ制御部Ａ３２と、ＣＰＵ各部を統括的に制御するコアＣＰＵＡ３３と、動作プログラムが格納されたＲＯＭ［Ｒｅａｄ　Ｏｎｌｙ　Ｍｅｍｏｒｙ］Ａ３４と、ワーク領域として用いられるＲＡＭ［Ｒａｎｄｏｍ　Ａｃｃｅｓｓ　Ｍｅｍｏｒｙ］Ａ３５と、を有して成る。
【００２３】
液晶コントロール部Ａ３１は、液晶表示部Ａ２のドット制御及びセグメント・コモン制御を行い、携帯電話機ＢとのＵＡＲＴシリアルデータ通信に基づいた各種情報を液晶表示部Ａ２に表示させる。
【００２４】
ＵＡＲＴ制御部Ａ３２は、本体ＣＰＵＢ１内部に設けられたＵＡＲＴ制御部Ｂ１１との間でＵＡＲＴシリアルデータ通信を行い、液晶表示部Ａ２の各種表示情報を取得する。図３はＵＡＲＴシリアルデータ通信を説明するための図である。本図に示すように、ＵＡＲＴ制御部Ａ３２、Ｂ１１は、互いに数本の線で接続されており、データ送信時には、シリアルキャラクタフォーマットに変換されたディジタルデータが一定時間間隔で送信される。一方、データ受信時には、受信されたディジタルデータが一定時間間隔でパラレルフォーマットに変換される。
【００２５】
ＵＡＲＴ制御部Ａ３２は、機能的に３つの部分（ＵＡＲＴトランスミッタ、ＵＡＲＴレシーバ、ＵＡＲＴコントローラ）に分けることができる。ＵＡＲＴトランスミッタは、パラレル入力データを受け取り、フォーマットされたキャラクタを１ビットずつシリアル出力する。ＵＡＲＴレシーバは、ＵＡＲＴトランスミッタの逆変換を行うものであり、シリアル入力データからスタートビットを検出すると、以降のビットを集めてシリアルデータをパラレルデータに変換する。ＵＡＲＴトランスミッタ及びＵＡＲＴレシーバの動作は、クロック信号に同期する。なお、クロック信号周波数はシリアルビット伝送速度の１６倍であり、伝送速度が１２００［ｂｐｓ］の場合、クロック周波数は１９２００［Ｈｚ］となる。
【００２６】
ＵＡＲＴコントローラは、シリアルデータのフォーマットを決定する部分であり、該フォーマットには、データビット領域、ストップビット領域、使用されるデータの不具合を検出するためのパリティ領域（８ビットにつき１ビットの余分なメモリを付加した付加領域）などが含まれる。なお、パリティは、データの誤りを検出する技法の１つであり、データに含まれる１または０の数を計算し、その結果をパリティビットとしてデータに付加する。このようなパリティビットを付加しておけば、受信機器側では、受信したパリティビットと、受信データから再計算したパリティビットを比較することで、送受信が正常に完了したか否かを判断することができる。ただし、パリティでは、パリティビットも含めて奇数個のビット誤りは検出できるが、偶数個のビット誤りは検出できない。
【００２７】
コアＣＰＵＡ３３は、ＵＡＲＴ制御部Ａ３２を介して携帯電話機Ｂとの間でＵＡＲＴシリアルデータ通信を行い、該データ通信に基づいて液晶表示部Ａ２に携帯電話機Ｂに関する各種情報（オーディオ再生情報、音声着信情報、メール着信情報、ステーション着信情報、Ｗｅｂ着信情報、現在時刻など）を表示させる。以下では、上記した液晶表示部Ａ２の表示内容制御について具体的に述べる。
【００２８】
まず、音声着信時における液晶表示部Ａ２の表示内容制御について図４を参照しながら説明を行う。携帯電話機Ｂに音声着信があった場合、コアＣＰＵＡ３３は本体ＣＰＵＢ１との間でＵＡＲＴシリアルデータ通信を行い、図４（ａ１）〜（ａ３）に示すように携帯電話機Ｂの電話帳データに登録された発信者名をメイン情報表示領域Ａ２２にスクロール表示する。なお、発信者名が未登録であった場合には、図４（ｂ）に示すように発信者電話番号を表示し、発信者電話番号が非通知設定とされていた場合には、図４（ｃ）に示すようにその旨を表示する。
【００２９】
また、携帯電話機Ｂの音声着信に対してユーザが応答しなかった場合には、図４（ｄ）に示すように不在着信アイコンｉ１をアイコン表示領域Ａ２３に表示する。このような表示を行うことにより、ユーザは不在着信があったことを知ることができるので、該着信に対して遅滞なく応答を行うことができる。なお、携帯電話機Ｂをオーディオ再生モードにしたり、表示切換スイッチＡ１’を操作したりすると、メイン情報表示領域Ａ２２の表示内容はキャンセルされるが、アイコン表示領域Ａ２３の不在着信アイコンｉ１は継続表示される。従って、未応答の不在着信がユーザに気付かれないまま埋もれてしまうことはない。
【００３０】
次に、データ着信時（メール着信時、ステーション着信時、Ｗｅｂ着信時）における液晶表示部Ａ２の表示内容制御について図５を参照しながら説明を行う。携帯電話機Ｂにメール着信があった場合、コアＣＰＵＡ３３は本体ＣＰＵＢ１との間でＵＡＲＴシリアルデータ通信を行い、図５（ａ１）に示すように携帯電話機Ｂの電話帳データに登録された発信者名をメイン情報表示領域Ａ２２にスクロール表示する。なお、発信者名が未登録であった場合には、図５（ａ２）に示すように発信者メールアドレスを表示する。また、着信メールに件名が付されていた場合には、上記発信者情報のスクロール表示に引き続いて、図５（ａ３）に示すようにメール件名をスクロール表示する。
【００３１】
また、本実施形態のリモコンＡは、携帯電話機Ｂにメール着信があった場合、上記スクロール表示と同時に、着信種類を示す着信識別アイコンｉ２、ｉ３（例えば、通常メールアイコンｉ２と長文メールアイコンｉ３）と、未読メールがある旨を示す未読アイコンｉ４と、をそれぞれアイコン表示領域Ａ２３に表示する構成である（図５（ａ１）〜（ａ３）を参照）。このような表示を行うことにより、液晶表示部Ａ２の表示領域を有効に利用して、ユーザに未読メールがあることを的確に報知することができる。なお、メイン情報表示領域Ａ２２の表示内容がキャンセルされても、アイコン表示領域Ａ２３の着信識別アイコンｉ２、ｉ３及び未読アイコンｉ４は継続表示されるので、未読メールがユーザに気付かれないまま埋もれてしまうことはない。
【００３２】
同様に、携帯電話機Ｂにステーション着信やＷｅｂ着信があった場合、コアＣＰＵＡ３３は本体ＣＰＵＢ１との間でＵＡＲＴシリアルデータ通信を行い、着信内容をメイン情報表示領域Ａ２２にスクロール表示すると同時に、着信種類を示す着信識別アイコンｉ５、ｉ６（ステーションアイコンｉ５とＷｅｂアイコンｉ６）と、未読ステーション情報または未読Ｗｅｂ情報がある旨を示す未読アイコンｉ４と、をそれぞれアイコン表示領域Ａ２３に表示する（図５（ｂ）、（ｃ）参照）。このような表示を行うことにより、液晶表示部Ａ２の表示領域を有効に利用して、ユーザに未読ステーション情報や未読Ｗｅｂ情報があることを的確に報知することができる。なお、メイン情報表示領域Ａ２２の表示内容がキャンセルされても、アイコン表示領域Ａ２３の着信識別アイコンｉ５、ｉ６及び未読アイコンｉ４は継続表示されるので、未読ステーション情報や未読Ｗｅｂ情報がユーザに気付かれないまま埋もれてしまうことはない。
【００３３】
また、本実施形態のリモコンＡは、携帯電話機Ｂの非着信時、図５（ｄ）に示すようにメイン情報表示領域Ａ２２に現在の日付や時刻を表示する構成である。このような表示を行うことにより、ユーザはリモコンを時計代わりに利用することができるので便利である。
【００３４】
また、本実施形態のリモコンＡは、前述したように表示切換スイッチＡ１’を有して成り、液晶表示部Ａ２の表示内容を任意に切り換えることが可能な構成である。例えばオーディオ再生中には、図６に示すように、（ａ）再生トラック名（タイトル名やアーティスト名）、（ｂ）再生経過時間［１曲］、（ｃ）残り再生時間［１曲］、（ｄ）再生経過時間［全曲］、（ｅ）残り再生時間［全曲］、（ｆ）情報未入力時のアニメーション、といった多彩な表示を任意に切り換えることができる。また、図６には示していないが、オーディオ再生中に着信確認画面（図４、図５参照）を表示させることも可能である。このような構成とすることにより、ユーザは携帯電話機Ｂの動作状態に依ることなく、液晶表示部Ａ２に任意の情報を表示させることができるので、非常に使い勝手がよい。
【００３５】
なお、上記の実施形態では、オーディオ再生機能付き携帯電話機を手元で操作するためのリモートコントローラを例に挙げて本発明の詳細な説明を行ったが、本発明の適用対象はこれに限定されるものではなく、通信機器の遠隔操作を行うリモートコントローラに広く適用することが可能である。
【００３６】
【発明の効果】
上記で説明したように、本発明によれば、ユーザに対して必要な情報を的確に報知することが可能なリモートコントローラを提供することが可能となる。
【図面の簡単な説明】
【図１】本発明に係るリモートコントローラの第１実施形態を示すブロック図である。
【図２】液晶表示部Ａ２の画面構成例を示す図である。
【図３】ＵＡＲＴシリアルデータ通信を説明するための図である。
【図４】音声着信時における液晶表示部Ａ２の表示例を示す図である。
【図５】各種データ着信時における液晶表示部Ａ２の表示例を示す図である。
【図６】オーディオ再生時における液晶表示部Ａ２の表示例を示す図である。
【符号の説明】
Ａ　　リモートコントローラ（リモコン）
Ａ１　　入力操作部
Ａ１０　入力操作部
Ａ１’　　表示切換スイッチ
Ａ２　　液晶表示部
Ａ２１　　オーディオ設定表示領域
Ａ２２　　メイン情報表示領域
Ａ２３　　アイコン表示領域
Ａ３　　リモコンＣＰＵ
Ａ３１　　液晶コントロール部
Ａ３２　　ＵＡＲＴ制御部
Ａ３３　　コアＣＰＵ
Ａ３４　　ＲＯＭ
Ａ３５　　ＲＡＭ
Ａ４　　マイク
Ａ５　　ヘッドフォンジャック
Ｂ　　携帯電話機
Ｂ１　　本体ＣＰＵ
Ｂ１１　　ＵＡＲＴ制御部
Ｂ１２　　アナログ／ディジタル変換器（Ａ／Ｄ変換器）
Ｂ２　　通信制御部
Ｂ３　　アンテナ
ＳＷ１〜ＳＷｎ　　スイッチ
Ｒ０　　抵抗（プルアップ用）
Ｒ１〜Ｒｎ−１　　抵抗
ＰＷＲ　　電源端子
ＧＮＤ　　接地端子
ＲＣ　　リモコンスイッチ検出端子
ＭＩＣ　　マイク端子
ＨＰ＿Ｒ、ＨＰ＿Ｌ　　ヘッドフォン接続端子
ＲＵＡＲＴ、ＴＵＡＲＴ　　ＵＡＲＴ端子
ｉ１　　不在着信アイコン
ｉ２　　通常メールアイコン（着信識別アイコン）
ｉ３　　長文メールアイコン（着信識別アイコン）
ｉ４　　未読アイコン
ｉ５　　ステーションアイコン（着信識別アイコン）
ｉ６　　Ｗｅｂアイコン（着信識別アイコン）
【図１】
2004134840.tif 000003
【図２】
2004134840.tif 000004
【図３】
2004134840.tif 000005
【図４】
2004134840.tif 000006
【図５】
2004134840.tif 000007
【図６】
2004134840.tif 000008